(57)【要約】      （修正有）【課題】凹凸布帛技術と捺染技術を基に、見る角度によって従来にない複雑な色彩変化を呈する装飾布帛を提供する。【解決手段】凹凸模様が畝状である装飾布帛１であって、布帛は表地３と裏地２が連結糸４で一体化された布帛構造を成し、装飾布帛１の長さ方向に畝状で延びた表地３側の凸状部７と、隣接する凸状部７間に裏地２側の凹状部６が交互に並列した二重編物構造を成している。凸状部７、および凹状部６により形成される畝状の凹凸模様列の表面側には異なる２色以上からなる縞柄が布帛の長さ方向に着色されており、一つの凸状部７に異なる色の縞５Ａ、５Ｂの２色、そして凹状部６の表面には凸状部７とも異なる色の縞柄５Ｃ、５Ｄの計４色が一列の凹凸模様列に捺染され、それを繰り返している。【選択図】図１
0003225204.tif 000002
【実用新案登録請求の範囲】
【請求項１】
布帛表面に、複数の凹凸模様列が並列する凹凸布帛であって、１列の凹凸模様列に少なくとも２色からなる縞柄が凹凸模様列と同方向に着色されていることを特徴とする装飾布帛。
【請求項２】
前記凹凸模様列の形態が畝状であることを特徴とする請求項１記載の装飾布帛。
【請求項３】
前記凹凸模様列の形態が略多角形の繋がりであることを特徴とする請求項１記載の装飾布帛。
【請求項４】
前記凹凸模様列は、表地と裏地より連結組織で一体化されたダブルラッセル編地において、表地の編目列による畝状、または略多角形の繋がりであることを特徴とする請求項１〜３記載のいずれか１項記載の装飾布帛。
【請求項５】
前記凹凸模様列は、弾性糸を含む経編地において、弾性糸の回復応力により形成された幅方向の畝状であることを特徴とする請求項１または２項記載の装飾布帛。
【請求項６】
前記凹凸模様列は、経糸と緯糸からなる織物において、袋組織と経糸、または緯糸の熱収縮により形成された畝状であることを特徴とする請求項１、または２項記載の装飾布帛。
【請求項７】
前記凹凸模様列は、織物の経糸、または緯糸内における繊度差により形成された畝状であることを特徴とする請求項１、または２項記載の装飾布帛。
【請求項８】
前記凹凸模様列が多段両面緯編地の編糸の繊度差、またはリブ組織により形成された畝状であることを特徴とする請求項１、または２項の装飾布帛。
【請求項９】
前記凹凸模様列は、布帛の凹凸加工により形成された畝状、または略多角形の繋がりであることを特徴とする請求項１〜３記載のいずれか１項記載の装飾布帛。
【請求項１０】
布帛の幅方向、または長さ方向において、互いに隣接する凹凸模様列の間隔は１ｍｍ〜１０ｍｍであり、凹凸模様列が布帛内に連続的、もしくは部分的に並列配置されていることを特徴とする請求項１〜９のいずれか１項記載の装飾布帛。
【請求項１１】
布帛面に着色された縞柄の縞幅Ｌ１は、前記凹凸模様列の間隔をＬ２、縞柄１完全の縞数をｎとしたとき次式の関係であることを特徴とする請求項１〜１０いずれか１項記載の装飾布帛。
Ｌ１＝ｋ×Ｌ２／ｎ
但し、ｋ＝０．７〜１．２、ｎは２以上の整数
【請求項１２】
布帛面に着色された縞柄が布帛の表地側から捺染により着色されたことを特徴とする請求項１〜１１いずれか１項の記載の装飾布帛。
【考案の詳細な説明】
【技術分野】
【０００１】
本考案は装飾布帛の改良、さらに詳しくは、見る角度により色彩が干渉する偏光色の外観を有し、意匠性に優れた装飾布帛に関するものである。
【背景技術】
【０００２】
従来から、玉虫調と呼ばれる色の干渉構造による色彩効果を呈する布帛が知られており、一般的には異色の糸使いによる編織物構造において併置混色することで得られ、例えば特開平８−０６０５６３号公報＜特許文献１＞ては、経糸が緯糸とは異色に染色される組成の糸を用い、染着後の経糸と緯糸の異色により玉虫効果を得る方法が提案されている。
【０００３】
しかしながら、同提案による織物の経糸と緯糸は織物表面において略同じ高さで露出しているため、見る角度を大きく違えないと色彩変化が得られないし、また、併置された２色とその中間色との間で変化するだけであるから目視される色彩が限定されるという問題がある。
【０００４】
また、特開平１１−１０７１１０号公報＜特許文献２＞においては、干渉発色繊維と天然繊維、化学繊維或いは 天然繊維と化学繊維の混紡繊維とを組み合わせて玉虫色織物を得る方法が開示されている。この考案は、従来の異色糸の併置混色の提案とは異なり、光の屈折率を利用した干渉発色繊維を用いて玉虫効果を得る方法であるから、複雑な色彩変化が期待される。
【０００５】
同技術によると、干渉発色繊維自体は複雑な玉虫効果を発揮するが、干渉発色繊維が他の混紡繊維に埋もれ、布帛表面に露出する割合が少なくなり玉虫効果が十分発揮されないという問題があるし、干渉発色繊維の混紡率を増やすとコストアップや布帛の風合いを阻害するという問題がある。
【先行技術文献】
【特許文献】
【０００６】
【特許文献１】特開平８−０６０５６３号公報
【特許文献２】特開平１１−１０７１１０号公報
【考案の概要】
【考案が解決しようとする課題】
【０００７】
本考案は、従来の玉虫調布帛に上記のような限界があったことに鑑みて為されたものであり、その目的とするところは、凹凸布帛技術と捺染技術により、見る角度により色が干渉する色彩効果を呈する装飾布帛を提供することにある。
【課題を解決するための手段】
【０００８】
本考案者が上記技術的課題を解決するために採用した手段を、添付図面を参照して説明すれば、次のとおりである。
【０００９】
即ち、本考案の装飾布帛は、布帛表面に複数の凹凸模様列が並列する凹凸布帛であって、１つの凹凸模様列に少なくとも２色からなる縞柄が凹凸模様列と同方向に着色されていることで完成させた。
【００１０】
また、本考案における前記凹凸模様列の形態を畝状とする技術的手段を採用することが出来る。
【００１１】
また、前記凹凸模様列の形態を略多角形の繋がりとする技術的手段を採用することが出来る。
【００１２】
また、前記凹凸模様列は、表地と裏地より連結組織で一体化されたダブルラッセル編地において、表地の編目列による畝状、または略多角形の繋がりとする技術的手段を採用することが出来る。
【００１３】
更にまた、前記凹凸模様列は、弾性糸を含む経編地において、弾性糸の回復応力により形成された幅方向の畝状である技術的手段を採用することが出来る。
【００１４】
更にまた、前記凹凸模様列は、経糸と緯糸からなる織物において、袋組織と経糸、または緯糸の熱収縮により形成された畝状である技術的手段を採用することが出来る。
【００１５】
更にまた、前記凹凸模様列は、織物の経糸、または緯糸内における繊度差により形成された畝状である技術的手段を採用することが出来る。
【００１６】
更にまた、前記凹凸模様列が多段両面緯編地の編糸の繊度差、またはリブ組織により形成された畝状である技術的手段を採用することが出来る。
【００１７】
更にまた、前記凹凸模様列は、布帛の凹凸加工により形成された畝状、または略多角形の繋がりである技術的手段を採用することが出来る。
【００１８】
更にまた、布帛の幅方向、または長さ方向において、互いに隣接する凹凸模様列の間隔は１ｍｍ〜１０ｍｍであり、凹凸模様列が布帛内に連続的、もしくは部分的に並列配置されているという技術的手段を採用することが出来る。
【００１９】
更にまた、布帛面に着色された縞柄の縞幅Ｌ１は、前記凹凸模様列の間隔をＬ２、縞柄１完全の縞数をｎとしたとき次式の関係である技術的手段を採用することが出来る。
Ｌ１＝ｋ×Ｌ２／ｎ
但し、ｋ＝０．７〜１．２、ｎは２以上の整数
【００２０】
更にまた、布帛面に着色された縞柄が布帛の表地側から捺染により着色されている技術的手段を採用することが出来る。
【考案の効果】
【００２１】
本考案にあっては、布帛表面に、複数の凹凸模様列が並列する凹凸布帛であって、１つの凹凸模様列に少なくとも２色からなる縞柄が凹凸模様列と同方向に着色されているので、凹凸からなる凹凸模様列に着色された縞柄が見る角度により見え隠れすることで色の干渉による色彩変化を呈する装飾布帛が得られる。
【００２２】
また、凹凸模様列の形を縞柄と並列する畝状とし、凹凸模様列の間隔、縞幅、および縞柄の色の組み合わせを最適化することで、見る角度により凹凸模様列に着色された縞の一部を隠蔽することによって、見る角度によって虹色に変化する意匠性に優れた装飾布帛となる。
【００２３】
また、凹凸からなる凹凸模様列を多角形とすることにより、見る角度によって縞柄が断続的に隠蔽されるので複雑な色彩変化が得られる。
【００２４】
本考案の装飾布帛をダブルラッセル機により表地と裏地が連結糸により一体化された経編地とすることにより、柔軟性に富み、衣料用に最適な生地を高生産性で得ることが出来る。
【００２５】
また、装飾布帛の少なくとも一部に弾性糸を含めることで、伸縮性を有した布帛となり、伸縮機能性と高い意匠性が要求されるスポーツ衣料等に適し、幅広い用途に展開可能となる。
【００２６】
また、本考案の装飾布帛の布帛基材に経糸と緯糸からなる寸法安定性の優れた織物材とすることで、凹凸模様列のピッチも安定するので精度良い捺染加工を可能とする。
【００２７】
更にまた、緯編地を本考案の装飾布帛の布帛基材とすることにより、柔軟性と意匠性を発揮させることが出来るので婦人用外衣や衣服の襟や袖口などに好適な材料となる。
【００２８】
また、表地面及び裏地面に着色された縞柄が布帛の表地側から捺染により着色することにより、多色で細かい縞柄を容易に着色することが出来るので、消費者ニーズに合致した製品を迅速に供給することが可能である。
【図面の簡単な説明】
【００２９】
【図１】本考案の実施形態の装飾布帛の斜視図である。
【図２】本考案の実施形態の装飾布帛の色彩変化の原理を説明するための断面概略図である。
【図３】本考案の別の実施形態の装飾布帛の正面概略図である。
【図４】本考案のダブルラッセル編地での実施例の組織図である。
【図５】本考案の経編地での実施例の組織図である。
【図６】本考案の織物での実施例の断面概略図である。
【図７】本考案の織物での別の実施例の断面概略図である。
【図８】本考案の緯編地での実施例の組織図である。
【図９】本考案の緯編地での別の実施例の組織図である
【図１０】本考案の凹凸加工した布帛の外観を示す斜視図である。
【考案を実施するための形態】
【００３０】
本考案を実施するための形態を、具体的に図示した図面に基づいて、更に詳細に説明すると、次のとおりである。
＜考案の概要＞
【００３１】
本考案の実施形態を図１から図１０に基づいて説明する。図１は凹凸模様が畝状である本考案の装飾布帛１の斜視図であって、布帛は表地３と裏地２が連結糸４で一体化された布帛構造を成し、装飾布帛１の長さ方向に畝状で延びた表地３側の凸状部７と、隣接する凸状部７間に裏地２側の凹状部６が交互に並列した二重編物構造を成している。
【００３２】
上述した二重編物構造において、凸状部７、および凹状部６により形成される畝状の凹凸模様列の表面側には異なる２色以上からなる縞柄が布帛の長さ方向に着色されており、図１では一つの凸状部７に異なる色の縞５Ａ、５Ｂの２色、そして凹状部６の表面には前記凸状部７とも異なる色の縞柄５Ｃ、５Ｄの計４色が一列の凹凸模様列に捺染され、それを繰り返している。
【００３３】
上記の構成において、図２に示すように装飾布帛１の真上（ロ）の方向から見ると４色の全部の縞模様が視認されるが、斜めの（イ）の方向から見ると縞模様の５Ｃは表地３が障害になって、縞柄の５Ａ、５Ｂ、５Ｄの三つの混合色しか視認されず、真上（ロ）の方向から見た４色の混合色とは異なる色が視認されることになる。
【００３４】
一方、反対の斜め（ハ）の方向から見ると、同じく縞模様の５Ｄが隠蔽されて縞柄の５Ａ、５Ｂ、５Ｃの三つの混合色が視認され、見る方向（イ）、（ロ）とも異なる色を視認することになる。
【００３５】
図２においては布帛面を極端な３方向から見た際の色変化を説明したが、視線を方向（イ）から方向（ロ)に移動させると、隠蔽されていた縞模様が徐々に見えてくるので混合色も徐々に変化し、本考案の装飾布帛１を衣服などにして着用した際の布帛面の動きによる視線と布帛面の角度の変化で、色彩変化を視認することが出来る。
【００３６】
更に（ハ）の方向に移動すると、前記隠蔽された色とは異なる色の隠蔽が進むので視線の方向（イ）で視認された混合色とは異なる混合色に変化し、縞柄の色の選択により多様な色彩変化を得ることが出来る。
【００３７】
本考案の装飾布帛１における二重編物構造として、前記凸状部７が畝状に対して図３に示すように凸状部７を６角形とした凹凸模様列を形成し、表地３面及び表地３側から視認可能な裏地２面（６角形内）に異なる２色以上からなる縞柄を着色することも出来る。
【００３８】
図３に示す装飾布帛１は裏地２面上に表地３で６角形をした凸状部７形成させ、その６角形内に凹状部６が形成されており、表地３面及び表地３側から視認可能な裏地２面には異なる３色（５Ｅ、５Ｆ、５Ｇ）からなる縞柄が着色された実施態様を示したもので、表地３の凸状部７による隠蔽箇所が不連続となるために細かい領域の単位で混合色の色彩変化が目視され、凹状部６を畝状とした前記装飾布帛１とは異なる色彩変化の意匠効果を発揮させることが出来る。
＜布帛基材の詳細＞
【００３９】
本考案の装飾布帛１のベースとなる布帛は、表面に畝状や多角形の凹凸が連続する凹凸模様列が複数並列する布帛であれば良く、経編、緯編、織物、不織布を用いることが出来、なかでもダブルラッセルによる二重経編技術は、凹凸による種々の凹凸模様列が容易に形成出来、生地自体も柔軟性を有しているから衣服に用いることで美しいシルエットが得られ、本考案の目的とする衣服の動きによる色彩変化が有効に発揮される点で好ましいものである。
【００４０】
なお、二重経編地における好ましい編組織としては、例えば図４に示す編組織が挙げられ、同二重経編地はガイドＧ１の表地糸と、ガイドＧ３、Ｇ４の裏地糸がガイドＧ２の連結糸により一体されて二重経編地を形成し、ガイド１の表地糸は表地面において横方向の繋がり糸がないために編目列が裏地２面上に浮き上がった畝状の凹凸模様列を複数並列させることが出来る。
【００４１】
また、裏地２側をメッシュ組織にすることも出来、そうすることで通気性と意匠性を兼ね備えた装飾布帛となり、スポーツ衣料などの展開が可能となる。
【００４２】
また、上記とは別の編構造として、ダブルラッセル編機で表地側の鎖編と裏地側の鎖編を連結糸で交互に連結した形の経編リブ編地とすることにより、表地側の編目列で畝状の凹凸模様列を形成させることも出来る。
【００４３】
二重経編地に用いる糸種としては特に限定されないが、繊度が１００〜３５０ＤＴＥＸのポリエステル繊維やポリアミド繊維の合成繊維であると繊維表面が平滑であるから捺染された色彩が艶やかに反射され点で好ましいものである。
【００４４】
本考案の装飾布帛１の幅は特に制限なく、広幅の布帛全体に凸状部７と凹状部６を繰り返す、あるいは布帛幅の一部分に設けることも出来るし、幅が５〜５０ｍｍ程度の細幅のテープ状として服飾品と利用することも出来る。
【００４５】
本考案においてはダブルラッセル編地以外での畝状の凹凸模様列を形成させる布帛も含まれ、一般的経編においては図５に示す組織のように、ガイドＧ２糸に弾性糸を用いて２コースの編成、２コースの挿入を繰り返すことで、挿入部分の回復応力が作用して２コース編成部分が全幅に亘って浮き上がることで畝状が並列するリブ構造を得ることが出来、伸縮機能と伸縮に伴う色彩変化も加味された意匠性が発揮される特徴がある。
【００４６】
本考案における装飾布帛の布帛基材は織物であっても良く、例えば、図６は織物１０の断面示す概略図で、符号１１が経糸、符号１２は表地の緯糸、そして符号１３は裏地の熱収縮性の緯糸であって、表地と裏地は所定の間隔で経糸１１と緯糸１２により連結とされており、製織後に熱処理することで熱収縮糸からなる緯糸１３が収縮することで連結されてない袋織の表地が盛り上がった畝状の凹凸模様列を形成させることが出来、本考案の装飾布帛の基材として用いることが出来る。
【００４７】
上記方法によって長さ方向と同方向に畝状の凹凸模様列を複数並列させることが出来るが、熱収縮糸を経糸に配列し、長さ方向に対して所定の間隔で連結させることで幅方向と同方向の畝状を得ることも出来、更には連結部と袋織部を斜め方向にも位置させることも出来る。
【００４８】
また、図７に別の織物１０の概略断面を示すように、１本交互に配列された経糸１１ａと経糸１１ｂが緯糸１２と交錯した織物１０であって、経糸１１ｂに繊度を経糸１１ａや緯糸１２より太い繊度の糸を配列することで、経糸１１ｂの配列部分が盛り上がって畝状となるので本考案の装飾布帛１の基材として用いることが出来る。
【００４９】
図７では経糸に太繊度糸を配列した例を示したが、緯糸に太繊度糸を１本または複数本置きに配列した織物も本考案の装飾布帛の基材として含めることが出来、そうすることで幅方向の畝状の凹凸模様列を複数並列させた織物が得られる。
【００５０】
上記した太い繊度糸の経糸、もしくは緯糸の繊度差としては、普通糸の繊度の少なくとも３倍以上の繊度差であることが好ましく、より好ましくは５倍以上とする方が盛り上がりの高い畝状の凹凸模様列が得られる。
【００５１】
また、本考案の装飾布帛１の布帛基材として、経編や織物以外に緯編地を用いることも出来、例えば、図８は３段両面編の組織図を示し、同編地において給糸順の（１）、（２）には比較的細繊度糸を供給し、給糸順（３）には太繊度糸を供給することで給糸順（３）の編み糸は同一編針（ａ）で編目を形成するので他の編針（ｂ）（ｃ）で編まれた編目より表面に盛り上がり、畝状の凹凸模様列を複数並列させることが出来る。
【００５２】
図８では、３段両面編地の例を示したが、２段両面編地であっても良く、また多段編針の配列を違えた変化組織にすることも出来る。
【００５３】
また、緯編地において、図９に示す組織図のようにリブ編組織とすることで、編地表面側において編み針（ａ）で編まれた編目列によって畝状の凹凸模様列を複数並列する編地とになり、本考案の装飾布帛１の基材として用いることが出来る。
【００５４】
更に、本考案の装飾布帛１の基材として図１０に示すように比較的表面平滑な織物材や編物材、不織布材に凹凸加工を施して凸部１４と凹部１３が交互に配列させることで、凸部１４を畝状とする凹凸模様列を複数並列させた基材となり、本考案の装飾布帛の基材となりうる。
【００５５】
上記した凹凸加工によると種々の凹凸模様列の形状が得られるメリットがあり、衣類以外の日用品や装飾品などの広い分野に適用することが出来る。
＜凸状大きさ＞
【００５６】
本考案の装飾布帛における凸状部７のサイズとしては、布帛の厚み方向の高さは凹状部６の表面から０．２〜１．５ｍｍ程度が好ましく、高さが０．２ｍｍ以下であると斜めから見た際の障壁効果が得られず、また、高さが１．５ｍｍ以上となると、斜めから見た際の障壁が高過ぎて凹状部６の縞模様全体が隠蔽される事態になってしまい、本考案の多様な色彩変化効果が望めない問題があるので凸状部７の高さは０．２〜１．５ｍｍが好ましい。
【００５７】
また、凸状部７の幅は０．５〜５ｍｍ程度が好ましく、凸状部７は見る角度に関係なく視認可能な領域であるから５ｍｍ以上の広幅になると凹状部６の色彩変化部との面積割合が大きくなり過ぎるために、色彩変化に限界が生じるので幅は５ｍｍ以下が好ましい。
【００５８】
また、凹状部６の幅は凸状部７の高さや幅に関係するが、凸状部７と同程度の０．５〜５ｍｍ程度が好ましく、５ｍｍ以上となると凹状部６全体の縞模様に対して斜めから見た際に隠蔽される縞模様の部分の面積割合が少なくて色彩変化に限界が生じるので凸状部７の幅と同様に５ｍｍ以下であることが好ましい。
【００５９】
なお、凸状部７の高さや幅、および凹状部６の幅は色彩変化に関わるだけでなく生地の風合いや外観にも大きく影響するので、装飾布帛１の用途などにより上記範囲内で適宜決めれば良いものである。
＜縞模様の詳細＞
【００６０】
本考案でいう縞模様は異なる２色以上からなる縞柄であって、一つの縞の幅は０．２〜１．５ｍｍの範囲で、布帛の凸状部７が畝状の場合はその畝状と同方向に延びており、最適な縞幅は色彩によって異なるが、幅が０．２ｍｍ以下では非常には細かい縞の繰り返しとなるために、ある特定の色だけが隠蔽される割合が少ないから色彩変化が少なく、また、そのような細い縞で捺染着色すること自体も難しい問題がある。
【００６１】
一方、個々の縞の幅が１．５ｍｍ以上の広幅となると、縞柄の個々の色がはっきり目視されるために色彩変化が期待できないので、縞の幅は０．２〜１．５ｍｍの範囲が好適である。
【００６２】
また、各縞の幅は同一幅であっても良いが、縞の色彩により幅を違えて目視される色合いを変えることも出来る。
【００６３】
縞模様の縞幅は、一つの縞、または複数の縞が凸状部７、および凹状部６の幅に丁度収まるが好ましいが、本考案の装飾布帛１の二重編織物は精度よく仕上げ加工を施しても、編織物の幅を０．１ｍｍ単位で仕上げることは困難であることから、凹凸模様列の間隔をＬ２、縞柄１完全の縞数をｎとしたときの縞幅Ｌ１は次式の示される範囲内であれば製品として見劣りせず、また色彩変化に影響が及ばない。
Ｌ１＝ｋ×Ｌ２／ｎ
但し、ｋ＝０．７〜１．２、  ｎは２以上の整数
【００６４】
また、先に示した式の範囲内において、縞幅L１と凹凸模様列の間隔L２を故意に変えることで、凸状部７、および凹状部６に着色される縞柄の部位が幅方向で変化することになり、目視される色合いの変化、および見る角度による多彩な色彩変化が得られる。
【００６５】
縞模様は凸状部７の表地３面、および凹状部６の表地３側から視認可能な裏地２面に異なる２色以上からなる縞柄が着色されており、２色だと凸状部７と凹状部６にそれぞれ分けて着色することが出来、例えば、凸状部７の縞を緑色、凹状部６の縞を青色に着色することで、緑色をベースに青色の増減による玉虫調が得られる。
【００６６】
また、図１に示すように凸状部７と凹状部６にそれぞれ異なる２色ずつ着色する場合、例えば５Ａに赤色、５Ｂに黄色、５Ｃに緑色、５Ｄに青色の配色の縞柄で着色すると、見る角度により４色の混合色と、赤色と黄色のベースに緑色、または、赤色と黄色のベースに青色の混合色の増減により、虹色に近い多彩な色彩変化を得ることが出来る。
【００６７】
上述したように本考案の装飾布帛は多彩な色変化が得られ、特に色彩変化を得易い色としては赤色、黄色、黄赤色、緑色、緑青色、青色、紫色が好ましく、要求に応じてそれらの色を適宜組み合わせることが出来る。
＜捺染方法＞
【００６８】
本考案の縞模様は、布帛の長さ方向、または幅方向や斜め方向に延びる凹凸模様列が並列する布帛の表面側に捺染されたもので、捺染方法としては特に限定されないが、インクジェット方式であれば柄を精度良くプリントでき、また柄切り替えが容易であることから好ましい捺染方法である。
【００６９】
また、布帛の凹凸模様列の寸法は、糸種や組織による収束性によって変化する為、スクリーン捺染やグラビア捺染などのように型に依存しないデジタル捺染であるインクジェット方式であれば、布帛の寸法変化に合わせた縞模様のデータ補正が容易に行うことが出来る。
【００７０】
また、本考案においては、未染色の糸を用いて製編織した編織物を捺染により縞模様を着色することも出来るが、先染糸を用いて凹凸模様列が並列する編織物に縞柄を形成することも出来るし、編織物構造上で捺染し難い箇所のみを部分的に先染め糸で製編織しておくことも出来る。
＜その他＞
【００７１】
本考案の装飾布帛１の布帛基材における二重経編構造として、凹凸模様列が畝状に対して図３に示すように凹状部６を６角形とし、その周りを畝状とした多角形が連なる凹凸模様列が複数並列するダブルラッセル編地を用いることが出来、表地３面及び表地３側から視認可能な裏地２面（６角形内）において、一列の凹凸模様列に異なる２色以上からなる縞柄を着色することも出来る。
【００７２】
図３に示す装飾布帛１は裏地２面上に表地３で６角形をした凸状部７形成させ、その６角形内に凹状部６が形成されており、表地３面及び表地３側から視認可能な裏地２面には異なる３色（５Ｅ、５Ｆ、５Ｇ）からなる縞柄が着色された実施態様を示したもので、表地３の凸状部７による隠蔽箇所が不連続となるために細かい領域の単位で混合色の色彩変化が目視され、凸状部を畝状とした前記装飾布帛１とは異なる色彩変化の意匠効果を発揮させることが出来る。
【００７３】
弾性糸を用いて畝状の凹凸模様列を形成する目的とは異にして、布帛基材に弾性糸を編織込み、または挿入して伸縮性を有した製品にすることが出来、伸縮機能と伸縮による色彩変化が付加され、用途展開に拡がり出来る。なお、弾性糸として４０〜３００ＤＴＥＸ程度のポリウレタン繊維が好ましく、ポリエステル系やポリエーテル系の弾性糸であっても良い。
【実施例】
【００７４】
２４ゲージのダブルラッセル経編機を用い、表地３、裏地２の編糸と連結糸４にポリエ ステル１６７ｄｔｅｘの加工糸を用いて、図４に示すダブルラッセル組織において編糸を筬Ｇ１には１ｉｎ１ｏｕｔ、そして他の筬Ｇ２、Ｇ３、Ｇ４はフルセットにして、裏地２の表地３側に複数の畝状の凹凸模様列が並列する幅５０ｍｍのテープ状二重経編地を製造した。
【００７５】
得られた二重経編地の凸状部７、および凹状部６の幅は０．９ｍｍ、そして凸状部７の裏地２面からの高さが０．５ｍｍであった。
【００７６】
次いで、得られた編地の表地３（凸状部７）、および表地３側から見える裏地２面（凹状部６）にイン クジェットにより縞幅０．４５ｍｍで、凸状部７には赤色、黄色の２色、そして隣接する凹状部６には緑色、青色の２色で縞柄を捺染した。
【００７７】
得られた装飾布帛１を机上に平らげて、幅方向に亘って見る角度違えて観察した結果、虹色に色彩変化を発揮することを確認された。
【符号の説明】
【００７８】
１：装飾布帛
２：裏地
３：表地
４：連結糸
５：捺染部（５Ａ，５Ｂ，５Ｃ，５Ｄ，５Ｅ，５Ｆ，５Ｇ）
６：凹状部
７：凸状部  
１０：布帛基材
１１：経糸
１１ａ：経糸（通常繊度糸）
１１ｂ：経糸（太繊度糸）
１２：緯糸
１３：緯糸（熱収縮糸）
１４：凸部
１５：凹部
【図１】
0003225204.tif 000003
【図２】
0003225204.tif 000004
【図３】
0003225204.tif 000005
【図４】
0003225204.tif 000006
【図５】
0003225204.tif 000007
【図６】
0003225204.tif 000008
【図７】
0003225204.tif 000009
【図８】
0003225204.tif 000010
【図９】
0003225204.tif 000011
【図１０】
0003225204.tif 000012